(57)【要約】ファイルを入力する手段１０と、固有メディア情報を生成する固有メディア情報生成手段１２と、ファイルがコピー制限付きであるかを識別するコピー制限ファイル識別手段１３と、入力されたファイルを特定のプログラムで再生可能な形態にスクランブルするファイル変換手段１４と、スクランブルされたファイル又は入力されたファイルを記録媒体の論理アドレス領域に書き込むと共に、固有メディア情報を論理アドレス領域外に書き込むファイル記録手段１６とを少なくとも備え、コピー制限がない場合はファイルがそのまま記録され、コピー制限がある場合はスクランブルされたファイルが記録され、論理アドレス領域外には固有メディア情報が書き込まれる。
2005027118.tif 000002
【特許請求の範囲】
【請求項１】
ファイルを入力する入力手段と、
入力された前記ファイルがコピー制限付きファイルであるかを識別するファイル識別手段と、
前記コピー制限付きファイルを特定のプログラムで再生可能な形態に変換する変換手段と、
前記識別手段により前記入力されたファイルがコピー制限付きファイルでないと判断された場合は、前記ファイルを記録媒体に書き込み、前記入力されたファイルが前記コピー制限付きファイルであると判断された場合は、前記変換されたファイルと、前記特定のプログラムを動作させるための情報とを前記記録媒体に書き込む記録手段と、を備える情報記録装置。
【請求項２】
前記記録手段では、前記入力されたファイル又は前記変換されたファイルを前記記録媒体の論理アドレス領域に書き込み、前記特定のプログラムを動作させるための情報を前記記録媒体の論理アドレス領域外に書き込む請求の範囲第１項記載の情報記録装置。
【請求項３】
前記コピー制限付きファイルは、正当権限者にのみコピーが許可されていることを示す情報が前記ファイルに記述、又は付帯されているファイル、又は、予め定められた手法でのみ復元可能なファイルである請求の範囲第１項に記載の情報記録装置。
【請求項４】
前記変換手段では、前記コピー制限付きファイルが予め定められた手法でのみ復元可能なファイルである場合には、前記入力されたファイルを前記予め定められた手法で復元した後、特定のプログラムで再生可能な形態に変換する請求の範囲第３項に記載の情報記録装置。
【請求項５】
コンピュータを、少なくとも、
ファイルを入力する入力手段、
入力された前記ファイルがコピー制限付きファイルであるかを識別するファイル識別手段、
前記コピー制限付きファイルを特定のプログラムで再生可能な形態に変換する変換手段、
前記入力されたファイルがコピー制限付きファイルでない場合は、前記ファイルを記録媒体に書き込み、前記入力されたファイルが前記コピー制限付きファイルである場合は、前記変換されたファイルと、前記特定のプログラムを動作させるための情報とを前記記録媒体に書き込む記録手段、として機能させる記録プログラム。
【請求項６】
前記記録手段では、前記入力されたファイル又は前記変換されたファイルを前記記録媒体の論理アドレス領域に書き込み、前記特定のプログラムを動作させるための情報を前記記録媒体の論理アドレス領域外に書き込む請求の範囲第５項に記載の記録プログラム。
【請求項７】
前記コピー制限付きファイルは、正当権限者にのみコピーが許可されていることを示す情報が前記ファイルに記述、又は付帯されているファイル、又は、予め定められた手法でのみ復元可能なファイルである請求の範囲第５項に記載の記録プログラム。
【請求項８】
前記変換手段では、前記コピー制限付きファイルが予め定められた手法でのみ復元可能なファイルである場合には、前記入力されたファイルを前記予め定められた手法で復元した後、特定のプログラムで再生可能な形態に変換する請求の範囲第７項に記載の記録プログラム。
【請求項９】
記録媒体に記録されたファイルを再生する再生装置において、
前記ファイルが特定のプログラムで再生可能な形態に変換されたものであるかを判別する判別手段と、
前記ファイルが変換されたものと判別された場合に、前記ファイルを元のファイルに復元する復元手段と、
前記記録媒体に記録されたファイル又は前記復元されたファイルを再生する再生手段と、を少なくとも備える再生装置。
【請求項１０】
前記判別手段は、前記記録媒体の論理アドレス領域外に、前記特定のプログラムで参照される、前記記録媒体の識別情報が記録されている場合に、前記ファイルが変換されたものであると判別する請求の範囲第９項に記載の再生装置。
【請求項１１】
前記判別手段は、前記記録媒体の論理アドレス領域に、前記ファイルが変換されていることを示す情報が記録されている場合に、前記ファイルが変換されたものであると判別する請求の範囲第９項に記載の再生装置。
【請求項１２】
前記判別手段は、前記記録媒体に記録されている前記ファイルの拡張子が予め記憶された拡張子である場合に、前記ファイルが変換されたものであると判別する請求の範囲第９項に記載の再生装置。
【請求項１３】
前記判別手段は、前記記録媒体に記録された前記ファイルが他のプログラムで再生できない場合に、前記ファイルが変換されたものであると判別する請求の範囲第９項に記載の再生装置。
【請求項１４】
コンピュータを、
記録媒体に記録されたファイルが特定のプログラムで再生可能な形態に変換されたものであるかを判別する判別手段、
前記ファイルが変換されたものと判別された場合に、前記ファイルを元のファイルに復元する復元手段、
前記記録媒体に記録されたファイル又は前記復元されたファイルを再生する再生手段、として機能させる再生プログラム。
【請求項１５】
前記判別手段は、前記記録媒体の論理アドレス領域外に、前記特定のプログラムで参照される、前記記録媒体の識別情報が記録されている場合に、前記ファイルが変換されたものであると判別する請求の範囲第１４項に記載の再生プログラム。
【請求項１６】
前記判別手段は、前記記録媒体の論理アドレス領域に、前記ファイルが変換されていることを示す情報が記録されている場合に、前記ファイルが変換されたものであると判別する請求の範囲第１４項に記載の再生プログラム。
【請求項１７】
前記判別手段は、前記記録媒体に記録されている前記ファイルの拡張子が予め記憶された拡張子である場合に、前記ファイルが変換されたものであると判別する請求の範囲第１４項に記載の再生プログラム。
【請求項１８】
前記判別手段は、前記記録媒体に記録された前記ファイルが他のプログラムで再生できない場合に、前記ファイルが変換されたものであると判別する請求の範囲第１４項に記載の再生プログラム。
【発明の詳細な説明】
【技術分野】  本発明は、記録媒体に記録されたファイルを再生するための再生装置及び再生プログラム、記録媒体にファイルを記録する情報記録装置及び記録プログラムに関する。
【背景技術】  近年、写真に関連する様々なサービスが提供されるようになってきている。例えば、ユーザがデジタルカメラで写真を撮影し、写真の画像ファイルを記録したデジタルカメラやデジタルカメラ用メディアをミニラボ等の写真店に持ち込み、店舗内に設けられた無人端末（キオスク）や店頭端末などを用いて、デジタルカメラやメディアに記録された画像ファイルをＣＤ−Ｒ、ＤＶＤ−Ｒなどの記録媒体に書き込むことができる（例えば、特開平５−１８２３７３号公報等、第４−６頁、第３図）。
また、ユーザがフィルムカメラで写真を撮影し、撮影済みのフィルムをミニラボ等の写真店に持ち込むと、写真店ではフィルムを現像した後、スキャナ等の読み取り装置を用いて画像データを読み取り、ＣＤ−Ｒ、ＤＶＤ−Ｒなどの記録媒体に書き込んでユーザに提供するサービスも行われている。
また、デジタルカメラやメディア、フィルムから読み取った画像ファイルを、例えば、ＤＶＤプレーヤやＤＶＤレコーダのような画像再生機器で再生することができるようにファイル形式を変換し、元の画像ファイルと変換した画像ファイルとをＣＤ−Ｒ、ＤＶＤ−Ｒなどの記録媒体に書き込むサービスも行われている。
そして、ユーザは画像ファイルが書き込まれた記録媒体をパソコンに挿入し、パソコンにインストールされているスライドショープログラムなどのアプリケーションを用いて画像ファイルの表示、編集、画像処理などを行ったり、記録媒体を画像再生機器に挿入して画像ファイルを表示するなどして画像ファイルを活用することができる。また、上記記録媒体は、画像ファイルを提供するユーザ自身が利用するのみならず、写真画像を見せたい知人などにプレゼントする用途にも利用されている。
近年のパソコンはＣＤ−ＲやＤＶＤ−Ｒなどの記録媒体にデータを書き込む機能を備えた機種が多く、この書き込み機能を用いて上述したサービスで作成された記録媒体を知人などにプレゼントするためにコピーすることも可能である。しかしながら、このような不正なコピーを許容すると上記サービスの利用促進の妨げとなり、またサービス提供者の利益を損なうことになってしまう。
また、記録媒体に記録する画像ファイルが、ユーザ自らが撮影した写真画像に基づく画像ファイルである場合は当該ユーザは制限なく記録媒体に記録することができるが、画像ファイルのコピーに制限がある場合、例えば、特定のユーザのみに画像ファイルの使用が許可されている場合や画像ファイルに著作権が設定されている場合にはユーザが無制限にコピーできないような措置を施す必要がある。
そこで、上述したサービスで記録媒体に画像ファイルを記録する際に、画像ファイルを特定のプログラムでのみ再生できるように変換し、かつ、特定のプログラムを動作させるための識別情報をコピーできない形態で記録媒体に書き込んでユーザに提供する方法が用いられる。このような方法を用いれば、記録媒体をコピーしても識別情報がコピーされないため、記録媒体の不正なコピーを有効に防止することができる。
そして、上記方法で作成された記録媒体を再生する装置側に特定のプログラムをインストールしておけば、記録媒体に識別情報が記録されている場合に、特定のプログラムを用いて変換された画像ファイルを復元し、表示することができる。しかしながら、全ての記録媒体が上記方法で作成されるわけではなく、入力された画像ファイルがそのまま書き込まれる記録媒体もあり、この記録媒体には識別情報が記録されていないために、正規に入手した記録媒体であるにもかかわらず画像ファイルを再生することができなくなってしまう。
更に、記録媒体に画像ファイルを書き込む際に、画像ファイルがコピー制限付きファイルであるかを確認して書き込みを行うのは煩雑であり、そのような判断をユーザに求めるのは酷である。特に近年、簡単な操作で記録媒体に情報を書き込むことができる機器（例えば、ポータブルライタなど）が普及しており、コピー制限付き画像ファイルが無制限にコピーされないような仕組みを構築する必要がある。このような問題は画像ファイルに限らず、インターネットを通じてダウンロードされる音楽ファイルやコンテンツ、アプリケーション等の任意のファイルにおいても同様である。
【発明の開示】
本発明は、上記問題点に鑑みてなされたものであって、その主たる目的は、特定のプログラムで再生可能な形態に変換されたファイルが記録された記録媒体でも、ファイルが変換されずに記録された記録媒体であっても利用することができる再生装置及び再生プログラムと、記録媒体に記録されたファイルがコピー制限付きファイルであるかを自動的に識別することができる情報記録装置及び記録プログラムを提供することにある。
【課題を解決するための手段】
本発明の情報記録装置は、ファイルを入力する入力手段と、入力された前記ファイルがコピー制限付きファイルであるかを識別するファイル識別手段と、前記コピー制限付きファイルを特定のプログラムで再生可能な形態に変換する変換手段と、前記入力されたファイルがコピー制限付きファイルでない場合は、前記ファイルを記録媒体に書き込み、前記入力されたファイルが前記コピー制限付きファイルである場合は、前記変換されたファイルと、前記特定のプログラムを動作させるための情報とを前記記録媒体に書き込む記録手段と、を少なくとも備えるものである。
また、本発明の前記記録手段においては、前記入力されたファイル又は前記変換されたファイルを前記記録媒体の論理アドレス領域に書き込み、前記特定のプログラムを動作させるための情報を前記記録媒体の論理アドレス領域外に書き込む構成とすることができる。
また、本発明においては、前記コピー制限付きファイルは、正当権限者にのみコピーが許可されていることを示す情報が前記ファイルに記述、又は付帯されているファイル、又は、予め定められた手法でのみ復元可能なファイルとすることができ、前記変換手段では、前記コピー制限付きファイルが予め定められた手法でのみ復元可能なファイルである場合には、前記入力されたファイルを前記予め定められた手法で復元した後、特定のプログラムで再生可能な形態に変換する構成とすることができる。
また、本発明の記録プログラムは、コンピュータを、少なくとも、入力されたファイルがコピー制限付きファイルであるかを識別するファイル識別手段、として機能させるものである。
また、本発明の記録プログラムは、コンピュータを、少なくとも、ファイルを入力する入力手段、入力された前記ファイルがコピー制限付きファイルであるかを識別するファイル識別手段、前記コピー制限付きファイルを特定のプログラムで再生可能な形態に変換する変換手段、前記入力されたファイルがコピー制限付きファイルでない場合は、前記ファイルを記録媒体に書き込み、前記入力されたファイルが前記コピー制限付きファイルである場合は、前記変換されたファイルと、前記特定のプログラムを動作させるための情報とを前記記録媒体に書き込む記録手段、として機能させるものである。
このように、本発明の情報記録装置では、入力されたファイルがコピー制限付きファイルであるかを、著作権の設定等の理由により正当権限者にのみコピーが許可されていることを示す情報がファイルに記述又は付帯されているか、ファイルが予め定められた手法でのみ復元可能に作成されているかなどを参照して識別し、コピー制限付きファイルである場合は、特定のプログラムでのみ再生できるようにファイルをスクランブルして記録媒体に記録すると共に、特定のプログラムで参照される識別情報を記録媒体に記録し、コピー制限付きファイルでない場合はスクランブルせずにそのまま記録媒体に記録する。これにより、著作権などにより保護する必要があるファイルの不正なコピーを防止することができ、また、ユーザもコピー制限付きファイルであるかを意識することなく記録媒体に記録することができる。
また、本発明の再生装置は、記録媒体に記録されたファイルを再生する再生装置において、前記ファイルが特定のプログラムで再生可能な形態に変換されたものであるかを判別する判別手段を少なくとも備えるものである。
また、本発明の再生装置は、記録媒体に記録されたファイルを再生する再生装置において、前記ファイルが特定のプログラムで再生可能な形態に変換されたものであるかを判別する判別手段と、前記ファイルが変換されたものと判別された場合に、前記ファイルを元のファイルに復元する復元手段と、前記記録媒体に記録されたファイル又は前記復元されたファイルを再生する再生手段と、を少なくとも備えるものである。
また、本発明の再生プログラムは、コンピュータを、記録媒体に記録されたファイルが特定のプログラムで再生可能な形態に変換されたものであるかを判別する判別手段、として機能させるものである。
また、本発明の再生プログラムは、コンピュータを、記録媒体に記録されたファイルが特定のプログラムで再生可能な形態に変換されたものであるかを判別する判別手段、前記ファイルが変換されたものと判別された場合に、前記ファイルを元のファイルに復元する復元手段、前記記録媒体に記録されたファイル又は前記復元されたファイルを再生する再生手段、として機能させるものである。
ものである。
本発明においては、前記判別手段は、前記記録媒体の論理アドレス領域外に、前記特定のプログラムで参照される、前記記録媒体の識別情報が記録されている場合に、前記ファイルが変換されたものであると判別する構成とすることができる。
また、本発明においては、前記記録媒体の論理アドレス領域内に、前記ファイルが変換されていることを示す情報が記録されている場合に、前記ファイルが変換されたものであると判別する構成とすることもできる。
また、本発明においては、前記記録媒体に記録されている前記ファイルの拡張子が予め記憶された拡張子である場合に、前記ファイルが変換されたものであると判別する構成とすることもできる。
また、本発明においては、前記記録媒体に記録された前記ファイルが他のプログラムで再生できない場合に、前記ファイルが変換されたものであると判別する構成とすることもできる。
このように、本発明の再生装置や再生プログラムでは、記録媒体に記録された画像、コンテンツ、アプリケーション等のファイルがスクランブル（すなわち、特定のプログラムで再生可能な形態に変換）されたものであるか否かを自動的に判別し、ファイルがスクランブルされていない場合はそのまま再生し、ファイルがスクランブルされている場合は特定のプログラムを用いて復元した後、再生する。従って、ユーザは記録媒体に記録されたファイルがどのような形態であるかを意識することなく再生することができる。なお、本発明の再生装置とは、ポータブルなプレーヤ、再生専用ｂｏｘでもよく、ＤＶＤプレーヤでもよい。
【図面の簡単な説明】  第１図は、本発明の一実施例に係る情報記録装置及び再生装置の構成を示す外観図である。
第２図は、本発明の一実施例に係る情報記録装置の機能を示すブロック図である。
第３図は、本発明の一実施例に係る情報記録装置を用いた情報記録媒体の作成手順を示すスローチャート図である。
第４図は、本発明の一実施例に係る情報記録媒体の情報記録領域を示す図である。
第５図は、本発明の一実施例に係る情報記録媒体の情報記録領域を示す図である。
第６図は、本発明の一実施例に係る情報記録装置の他の構成を示す外観図である。
第７図は、本発明の一実施例に係る情報記録装置の他の構成を示す外観図である。
第８図は、本発明の一実施例に係る再生装置の構成を示すブロック図である。
第９図は、本発明の一実施例に係る再生装置を用いた画像ファイルの再生手順を示すフローチャート図である。
第１０図は、記録媒体（ＣＤ−Ｒ）の構造を示す断面図である。
【発明を実施するための最良の形態】  本発明に係る情報記録装置は、その好ましい一実施の形態において、デジタルカメラやメディアから、又は通信ネットワークを介してファイルを入力する手段と、入力されたファイルがコピー制限付きファイルであるかを識別するファイル識別手段と、入力されたファイルを特定のプログラムで再生可能な形態にスクランブルするファイル変換手段と、固有メディア情報を生成する固有メディア情報生成手段と、スクランブルされたファイルを記録媒体の論理アドレス領域に書き込むと共に、固有メディア情報生成手段で生成された固有メディア情報を論理アドレス領域外に書き込むファイル記録手段とを少なくとも備え、コピー制限付きファイルではない場合は、ファイルは記録媒体にそのまま記録され、コピー制限付きファイルの場合は、論理アドレス領域にはスクランブルされたファイルが記録され、論理アドレス領域外にはスクランブル処理されたファイルを再生する特定のプログラムで利用される固有メディア情報が書き込まれる。これにより、ファイルの不正な使用を防止することができると共に、ユーザがコピー制限付きファイルであるか否かを意識することなくファイルの書き込みを行うことができる。
【実施例】  上記実施形態について詳細に説明すべく、本発明の一実施例に係る再生装置及び再生プログラムについて、第１図乃至第９図を参照して説明する。第１図、第６図及び第７図は、本発明の一実施例に係る情報記録装置及び再生装置の構成を模式的に示す図であり、第２図は、情報記録装置の機能を示すブロック図である。また、第３図は、本実施例の情報記録方法の手順を示すフローチャート図であり、第４図及び第５図は、記録媒体におけるファイルの記録領域を示す図である。また、第８図は、本実施例の再生装置の構成を示すブロック図であり、第９図は、再生装置を用いて記録媒体の画像ファイルを再生する手順を示すフローチャート図である。
まず、本発明のシステム構成について、第１図を参照して説明する。本実施例の情報記録装置１は、スマートメディア、コンパクトフラッシュ（登録商標）、メモリースティック（登録商標）、ＳＤメモリーカード、マルチメディアカードなどのデジタルカメラ用やカメラ付き携帯電話機用の記録媒体（以下、メディア８と呼ぶ。）を装填するメディア装填部２、デジタルカメラ７やカメラ付き携帯電話機７ａ等の撮影機器（以下、デジタルカメラ７として説明する。）を有線又は無線、赤外線等によって接続するための機器接続部３、インターネット等の通信ネットワーク２４を介してサーバ２５からファイルをダウンロードするネットワーク接続部等のファイル入力手段と、メディア８やデジタルカメラ７から読み取った、又はサーバ２５からダウンロードした静止画像ファイル、動画ファイル、楽曲音声ファイル、コンテンツファイル、アプリケーションファイル等（以下、単にファイルと呼ぶ。）を記録するＣＤ−ＲやＤＶＤ−Ｒ等の記録媒体９を装填する記録媒体装填部４と、ボタン、キーボード、マウス等の操作部６及びＬＣＤ、ＣＲＴ等の表示部５（図では操作部６と表示部５とを兼ね備えるタッチパネルを示している。）とを備えている。また、本実施例の再生装置１８は、ファイルが記録されたＣＤ−ＲやＤＶＤ−Ｒ等の記録媒体９を装填する記録媒体装填部１８ａとファイルを再生する表示部１８ｂとを備え、情報記録装置１で作成された記録媒体又は他の装置で作成された記録媒体に記録されたファイルが再生装置１８で再生される。
上記情報記録装置１の機能をブロック図で示すと第２図のようになる。すなわち、メディア装填部２、機器接続部３、ネットワーク接続部等を用いてファイル（例えば、パソコンで再生可能な静止画像ファイルや楽曲音声ファイル等）を入力するファイル入力手段１０と、表示部５や操作部６等の情報入力手段１１と、入力されたファイルが、著作権の設定等の理由により正当権限者にのみコピーが許可されていることを示す情報がヘッダ等に記述又は付帯されているファイルや予め定められた手法を用いることによって復元できるように作成されているファイル（以下、これらのファイルを総称してコピー制限付きファイルと呼ぶ。）であるか否かを識別するファイル識別手段１３と、特定のプログラムで参照される、記録媒体９を識別するための情報（以下、固有メディア情報と呼ぶ。）を生成する固有メディア情報生成手段１２と、入力したファイル（例えば、静止画像ファイル）をＤＶＤプレーヤやＤＶＤレコーダ等の画像再生機器で再生可能な形式のファイル（例えば、動画ファイル、スライドショーファイル）に変換したり、情報入力手段１１からの入力情報に応じて、入力したファイルや画像再生機器用に変換したファイルにスクランブル処理を施すファイル変換手段１４と、ファイルの記録順序を制御するファイル転送手段１５と、ファイル転送手段１５によって転送されたファイルを記録媒体装填部４に装填された記録媒体９の所定の領域に書き込むファイル記録手段１６と、ファイル記録手段１６によって書き込まれるファイルを一時的に格納する記憶手段１７とを備えている。
なお、第１図では、記録媒体装填部４を記録媒体９にファイルを記録する手段として用いているが、予めコンテンツなどのファイルが記録された記録媒体を装填し、該記録媒体からファイルを入力する手段として用いてもよい。また、第１図では写真店やコンビニエンスストア等の店舗に設置可能なキオスク型の情報記録装置１を記載しているが、情報記録装置１の形態は任意であり、ユーザが自宅でファイルを記録媒体９に記録することができるような簡易な装置、例えば、第６図に示すように専用のセットトップボックスとしたり、第７図に示すようにポータブルライターなどとしてもよいし、ＤＶＤレコーダでもよい。また、上記各手段は情報記録装置１にハードウェアとして構成されていてもよいが、コンピュータを、少なくともファイル入力手段１０、ファイル識別手段１３として機能させる記録プログラムとして構成し、この記録プログラムを情報記録装置１にインストールして実行することもできる。
上記構成の情報記録装置１を用いてファイルが記録媒体９に記録されるまでの手順について、第３図のフローチャート図を参照して説明する。なお、以下では、読み取ったファイルをパソコン及び画像再生機器の双方で閲覧できるように２種類のファイルを記録媒体９に記録する場合について示すが、一方の機器でのみ再生可能なファイルを記録媒体９に記録する場合も同様に適用することができる。
まず、ステップＳ１０１で、情報記録装置１のメディア装填部２にメディア８を装填、又は、機器接続部３にデジタルカメラ７を接続、又はネットワーク接続部を通信ネットワーク２４に接続し、記録媒体装填部４に記録媒体９を装填する。次に、ステップＳ１０２で、ファイル入力手段１０を用いて、デジタルカメラ７やメディア８の所定のエリアに格納されたファイルやサーバ２５に記録されたファイル（ここでは、デジタルカメラ７やメディア８に記録された静止画像ファイル）を読み取る。
次に、ステップＳ１０３で、ファイル識別手段１３は、入力されたファイルがコピー制限付きファイルであるか否かを、ファイルのヘッダ等に著作権の設定等の理由により正当権限者にのみコピーが許可されていることを示す情報が記述されているか、また、該情報がファイルに付帯されているか、また、ファイルが予め定められた手法でのみ復元できるように作成されているか（例えば、特定のプログラムでのみ再生できるように変換されているか、ファイルの再生に際してＩＤ情報やパスワードの入力が求められるか）などを参照して識別する。なお、コピー制限付きファイルか否かを識別する方法は上記方法に制限されず、例えば、記憶手段１７に予め記憶されたリストに該当するファイルはコピー制限付きファイルであると判断することもできる。
そして、ステップＳ１０４で、入力されたファイルがコピー制限付きファイルであると識別された場合、ステップＳ１０５で、必要に応じて、ファイル変換手段１４を用いて、読み取った静止画像ファイルを別のファイル形式のファイル（ここでは、ＤＶＤプレーヤやＤＶＤレコーダ等の画像再生機器で読み取り可能なＭＰＥＧ１、ＭＰＥＧ２等の形式の動画ファイルやＶ−ＣＤ形式ファイル、ＤＶＤ−Ｖｉｄｅｏ形式ファイル）に変換する。静止画像ファイルから動画ファイルを作成する方法は特に限定されないが、例えば、静止画像ファイルをスライドショーのように表示する場合は、静止画像ファイルにスライド表示の時間分の差分０のデータを付加して動画ファイルを生成したり、静止画像ファイルにスライドショープログラムで設定されたスライド効果に基づく差分データを付加して動画ファイルを生成することができる。なお、入力されたファイルが予め定められた手法でのみ復元できるように作成されている場合は元のファイルを復元した後、上記処理を行う。
次に、ステップＳ１０６で、ファイル変換手段１４を用いて入力されたファイルや画像再生機器用に変換されたファイルの全て又はその一部をスクランブル処理する。ここでいうスクランブル処理とは、専用のアプリケーション（特定のプログラム）を用いないと再生することができないようにファイルの形態を変換することを言い、例えば、ファイルのデータの配列を変更したり、ファイルを分割したり、特別な拡張子のファイルに変換するなどの処理全般を意味する。また、記録媒体９に記録するファイルの全てをスクランブルしない場合があるのは、パソコンを用いて記録媒体９をコピーする場合、Ｖｉｄｅｏ−ＣＤ形式のデータやＤＶＤ−Ｖｉｄｅｏ形式のデータの一部はコピーできないため、スクランブル処理を施す必要がない場合もあるからである。なお、入力されたファイルが予めスクランブルされている場合は、スクランブルされたファイルを復元せずにそのまま用いることもでき、その場合はステップＳ１０６のスクランブル処理は不要である。
次に、ステップＳ１０７で、固有メディア情報生成手段１２は、記録媒体９を識別するための固有メディア情報を生成する。この固有メディア情報の内容は限定されず、記録媒体９を製造するメーカの名称などとすることもでき、また、複数の記録媒体９で固有メディア情報が重複しないようにユニークな構成とすることもできる。また、固有メディア情報は特定のプログラムが認識できる形式で記録されていればよく、パソコンのＯＳが認識できないようにファイル形式でないデータとして記録されることが好ましい。
次に、固有メディア情報を記録媒体９に記録する。この固有メディア情報はファイルの不正なコピーを防止するために設けるものであるため、その記録場所や中身が容易に知られてしまうと固有メディア情報自体もコピーされてしまい、不正なコピーを防止することができなくなってしまう。そこで、本実施例では、固有メディア情報の少なくとも一部をパソコンのＯＳではアクセスできない領域（すなわち、論理アドレス領域外）、具体的にはディスク型記録媒体の論理アドレス領域の内側の領域に書き込む。
ここで、一般的な記録媒体９の構造について、第１０図を参照して説明すると、ＣＤ−Ｒは、ポリカーボネート基板１００上に、シアニン、フタロシアニン、アゾなどの有機色素層１０１と銀などの反射層１０２と保護層１０３とが積層されて形成され、有機色素層１０１に所定のパワーのレーザ光を当てて色素を分解して基板を変形させることでピットを形成し、情報の記録を行っているが、レーザパワーは、レーザ光を照射するレーザヘッドの方式や使用する有機色素層１０１の種類に応じて最適な値が異なるため、情報の書き込み、読み出しを確実に行うためにはＣＤ−Ｒがどのような色素を用いて製作されているかをドライブ側が忍識する必要がある。そこで、ＣＤ−Ｒに用いる色素の種別やＣＤ−Ｒを製作するメーカの名称などの情報を記録媒体９の製造段階でその最内周に書き込み、その情報をドライブのファームウェアが読み取り、ファームウェアが独自にレーザヘッドを制御してレーザパワーの調整を行っている。このようにディスクの最内周の領域はＣＤ−Ｒの素性に関する情報を記録する領域として使用され、通常、ＯＳではアクセスすることができない領域であることから、本実施例ではこの領域（論理アドレス領域外）に記録媒体９の固有メディア情報を書き込み、固有メディア情報自体がコピーされないようにしている。
なお、ここでは、ファイルをスクランブルする場合に、固有メディア情報生成手段１２で固有メディア情報を生成して記録媒体９の論理アドレス領域外に書き込み、スクランブル処理が行われたか否かを判定する構成としたが、パソコン用ファイル群や画像再生機器用ファイル群が記録される論理アドレス領域に、ファイルがスクランブルされているか否かを示す任意の形式（好ましくは、パソコンのＯＳが認識できない形式）のダミーデータを記録し、記録媒体９の論理アドレス領域内にダミーデータが記録されていればスクランブルされていると判定する構成とすることもできる。また、ファイルの拡張子を変換して特定のプログラムでしかファイルを再生できないようにすることもできる。
また、ステップＳ１０４で、入力されたファイルがコピー制限付きファイルではないと識別された場合は、ステップＳ１０８で、必要に応じて、上記と同様にファイル変換手段１４を用いて、読み取った静止画像ファイルを別のファイル形式のファイルに変換する。
欠に、ステップＳ１０９で、ファイル転送手段１５は、ファイル変換手段１４でスクランブルされたファイルや関連付けファイル等（以下、これらを総称して画像再生機器用ファイル群と呼ぶ。）を記憶手段１７に予め設けた書き込み用の所定のフォルダに転送する。すると、ファイル記録手段１６は、該フォルダから画像再生機器用ファイル群を読み出して、記録媒体９の論理アドレス領域の内側に記録する。ここで、動画ファイルの画像形式としてＭＰＥＧ１又はＭＰＥＧ２を用いＣＤ−Ｒに記録すればＶｉｄｅｏ−ＣＤ形式の記録媒体９を作成することができ、動画ファイルの画像形式としてＭＰＥＧ２を用いＤＶＤ−Ｒに記録すればＤＶＤ−Ｖｉｄｅｏ形式の記録媒体９を作成することができる。
次に、ステップＳ１１０で、ファイル記録手段１６は、パソコン用のファイルの記録を行う前に、画像再生機器で使用可能なファイルの領域を区分するために一旦セッションをクローズする。
次に、ステップＳ１１１で、ファイル転送手段１５は、ファイル変換手段１４でスクランブルされたファイル、静止画像ファイルをスライド表示するためのアプリケーション、スライドショーの設定ファイル等（以下、これらを総称してパソコン用ファイル群と呼ぶ。）を記憶手段１７に予め設けた書き込み用の所定のフォルダに転送する。すると、ファイル記録手段１６は、該フォルダからパソコン用ファイル群を読み出して、記録媒体９に先に記録された画像再生機器用ファイル群の外側に記録して一連の書き込み処理を終了する。
上記手順で作成された記録媒体９は第４図及び第５図に示すような構成となる。すなわち、スクランブル処理を行った場合は、第４図に示すように、ディスク型記録媒体９の最も内側の論理アドレス領域外には、所定の形式（好ましくはファイル形式でないデータ形式）の固有メディア情報が記録され、その外側の論理アドレス領域の内側には、スクランブルされたファイルを含む画像再生機器用ファイル群（Ｖｉｄｅｏ−ＣＤ形式のデータやＤＶＤ−Ｖｉｄｅｏ形式のデータの場合はスクランブルされていなくてもよい。）が記録され、更にその外側にはスクランブルされたファイルを含むパソコン用ファイル群が記録され、また、ダミーデータを用いる場合は論理アドレス領域にパソコンのＯＳが認識できない形式のダミーデータが記録される。また、スクランブル処理を行わなかった場合は、第５図に示すように、論理アドレス領域の内側に画像再生機器用ファイル群が記録され、その外側にはパソコン用ファイル群が記録される。
なお、上記手順では、説明を明確にするために、入力されたファイル全体をコピー制限付きファイル若しくはコピー制限がないファイルのいずれかとしたが、入力されたファイルの一部をコピー制限付きファイルとすることもできる。その場合は、ステップＳ１０６でコピー制限付きファイルのみをスクランブルし、ステップＳ１０９又はステップＳ１１１で、スクランブルしたファイル及びスクランブルしないファイルの双方を記録媒体９に記録すればよい。また、上記手順では、情報記録装置１で記録媒体９に固有メディア情報を書き込む構成としたが、予め固有メディア情報が書き込まれた記録媒体９をユーザに提供する構成とすることもできる。例えば、固有メディア情報が書き込まれる領域は予め色素の種別やメーカを特定する情報などが記録媒体９の製造段階で記録される領域であることから、メーカに依頼することにより上記情報と共に固有メディア情報を書き込むこともできる。この方法では、固有メディア情報がプレスにより記録されるため、記録の信頼性を高めることができると共に、情報記録装置１に固有メディア情報生成手段１２を備える必要はなく、また、第３図のステップＳ１０７の固有メディア情報の書き込みは行う必要はないため、情報記録装置１の構成や記録手順を簡略化することができる。
次に、上記情報記録装置１で作成されたスクランブルされたファイルが記録された記録媒体９又は入力されたファイルがそのまま記録された記録媒体９を用いて再生装置１８でファイルを再生する手順について第９図のフローチャート図を参照して説明する。
まず、ステップＳ２０１で、ユーザは記録媒体９を再生装置１８の記録媒体装填部１８ａに挿入する。この再生装置１８は、第８図に示すように、固有メディア情報やダミーデータの記録位置を記憶する位置情報記憶手段２０と、位置情報記憶手段２０に記憶されている位置情報を参照して記録媒体９から固有メディア情報やダミーデータを抽出する識別情報抽出手段２１と、固有メディア情報やダミーデータの有無、ファイルの拡張子の種別、他のプログラムでファイルが再生できるかなどの情報から、記録媒体９に記録されているファイルがスクランブルされているか否かを判別するファイル判別手段１９と、スクランブルされたファイルを元のファイルに復元するファイル復元手段２２と、復元されたファイル又は入力されたファイルを再生するファイル再生手段２３とを少なくとも備えている。なお、上記各手段は再生装置１８にハードウェアとして構成されていてもよいが、コンピュータを、少なくともファイル判別手段１９として機能させる再生プログラムとして構成し、該プログラムを再生装置１８やパソコン等にインストールして実行することもできる。
次に、ステップＳ２０２で、識別情報抽出手段２１は、位置情報記憶手段２０に記憶された位置情報（例えば、物理アドレス）を取得する。そして、ステップＳ２０３で、取得した位置情報を参照して、該位置に記録されている固有メディア情報やダミーデータを抽出する。上述したようにこの固有メディア情報は論理アドレス領域外に記録されているためパソコンのＯＳではアクセスすることはできず、また、ダミーデータはパソコンのＯＳでは認識することができない形態で記録されているため、位置情報を取得した識別情報抽出手段２１でしか抽出することはできないようになっている。なお、固有メディア情報やダミーデータは連続したデータとして記録されている必要はなく、離散的なデータとして記録されていてもよく、その場合は、位置情報で特定される複数の位置のデータを結合して固有メディア情報やダミーデータを取得する。
そして、ステップＳ２０４で、ファイル判別手段１９は、記録媒体９に固有メディア情報又はダミーデータが記録されている場合は、ファイルがスクランブルされていると判断して、ステップＳ２０６で、ファイル復元手段２２を用いてスクランブルされたファイルを元のファイルに復元する処理を行う。このスクランブルされたファイルの復元方法は特に限定されないが、例えば、所定のルールに従って暗号化した場合は該ルールに従って復号化したり、ファイルを分割した場合は分割されたファイルを結合する。なお、スクランブル処理された画像ファイルの復元に際して、上記固有メディア情報やダミーデータを利用してもよく、例えば、固有メディア情報やダミーデータに復号化のためのキー情報を記録しておき、このキー情報を用いて暗号化されたファイルを復号化する構成とすることもできる。
また、スクランブルされているか否かをファイルの拡張子を用いて判別することもできる。その場合は、ステップＳ２０１で記録媒体９を挿入したら、ファイル判別手段１９は記録媒体９に記録されているファイルの拡張子を調べ、この拡張子が予め記憶された拡張子と一致する場合は、ステップＳ２０４でスクランブルされていると判別する。また、他のプログラム（例えば、市販されている画像表示プログラム）で再生してみることによって、ファイルがスクランブルされているか否かを判別することもできる。その場合は、ステップＳ２０１で記録媒体９を挿入したら、ファイル判別手段１９は予めインストールされている他のプログラムを用いて実際にファイルを再生し、再生できない場合は、ステップＳ２０４でスクランブルされたファイルと判別する。
その後、ファイル再生手段２３は、復元したファイル又は元のファイルを表示部１８ｂに表示する。なお、ファイルの再生のたびにスクランブルされたファイルを復元するようにしてもよいし、記録媒体９に記録されたファイルを一括して復元して再生装置１８の一時記憶手段（例えば、記憶手段１７）に格納し、再生が指示されたファイルを一時格納手段から読み取って表示するようにしてもよい。ファイルの再生のたびにスクランブルされたファイルを復元する構成では、ファイルを表示するまでに時間がかかるという問題があるが、復元したファイルはパソコン内に記憶されないため、復元されたファイルが不正にコピーされるという問題を回避することができる。
このように、本実施例の再生装置１８は、位置情報記憶手段２０に記憶された位置情報を参照して記録媒体９の論理アドレス領域外に書き込まれた固有メディア情報又は論理アドレス領域に書き込まれたダミーデータを抽出し、記録媒体９に固有メディア情報又はダミーデータが書き込まれている場合にファイルがスクランブルされていると判断したり、ファイルの拡張子を調べ、この拡張子が予め記憶された拡張子と一致する場合にファイルがスクランブルされていると判断したり、他のプログラムを用いてファイルを再生し、再生できない場合はファイルがスクランブルされていると判断し、ファイル復元手段２２を用いてスクランブルされたファイルが復元される。従って、スクランブルされたファイルが記録された記録媒体９と入力されたファイルがそのまま記録された記録媒体９のいずれを用いても再生装置１８でファイルを再生することができ、ユーザの利便性を向上させることができる。
なお、上記各実施例では、デジタルカメラ７やメディア８、フィルムから読み取った画像ファイル、楽曲音声ファイル、コンテンツ、アプリケーション等のファイルを再生する場合について示したが、本発明は上記実施例に限定されるものではなく、任意のファイルを再生する場合についても同様に適用することができる。
【産業上の利用可能性】  本発明の情報記録装置及び記録プログラムによれば、記録媒体の不正なコピーを確実に防止することができる。また、本発明の再生装置によれば、記録媒体に記録されている画像、コンテンツ、アプリケーション等のファイルがスクランブルされているか否かにかかわらず、再生することができる。
その理由は、情報記録装置では、入力されたファイルを単にＣＤ−Ｒなどの記録媒体に記録するのではなく、入力されたファイルがコピー制限付きファイルであるかを自動的に識別し、コピー制限付きファイルの場合はファイルをスクランブルして記録媒体に記録すると共に、記録媒体を識別するための固有メディア情報をパソコンのＯＳではアクセスできない論理アドレス領域外に書き込み、パソコンのＯＳが認識できない形式で形成されたダミーデータを記録媒体に書き込むからである。また、コピー制限付きファイルでない場合は、ファイルをそのまま記録媒体に記録する。これにより、コピー制限付きでないファイルは自由に再生することができ、コピー制限付きファイルは識別情報が書き込まれた記録媒体を特定のプログラムを用いなければ再生することができないため、コピー制限付きファイルの不正な使用を確実に防止することができ、また、ユーザもファイルがコピー制限付きであるか否かを意識することなく記録媒体に記録することができる。
また、再生装置では、ファイルがスクランブルされているか否かを、識別情報の有無、ファイルの拡張子の種別、他のプログラムで再生可能かなどを参照して自動的に判別し、ファイルがスクランブルされていない場合はそのまま再生し、ファイルがスクランブルされている場合は特定のプログラムを用いて復元した後、再生するように動作するからである。
【図１】
2005027118.tif 000003
【図２】
2005027118.tif 000004
【図３】
2005027118.tif 000005
【図４】
2005027118.tif 000006
【図５】
2005027118.tif 000007
【図６】
2005027118.tif 000008
【図７】
2005027118.tif 000009
【図８】
2005027118.tif 000010
【図９】
2005027118.tif 000011
【図１０】
2005027118.tif 000012
【国際調査報告】
2005027118.tif 000013
2005027118.tif 000014
2005027118.tif 000015
2005027118.tif 000016